(57)【要約】電子装置のロッキングシステム１２であって、基部部材１８に対する可変な位置付けが可能であるように基部部材１８に結合される表示部材１６と、表示部材１６を基部部材１８に対する固定位置に固定するようにラッチ１３と係合可能であるポスト４８、５０とを備える電子装置のロッキングシステム。
2010524122.tif 000002
【特許請求の範囲】
【請求項１】
基部部材（１８）に対する可変な位置付けが可能であるように前記基部部材（１８）に結合される表示部材（１６）と、
前記表示部材（１６）を前記基部部材（１８）に対する固定位置に固定するようにラッチ（１３）と係合可能であるポスト（４８、５０）とを備えることを特徴とする電子装置のロッキングシステム（１２）。
【請求項２】
前記ポスト（４８、５０）は、べゼル（２８）を前記表示部材（１６）に固定することを特徴とする請求項１に記載のシステム（１２）。
【請求項３】
前記ポスト（４８、５０）は、前記ラッチ（１３）の少なくとも一部と係合するように凹部（８０）を有することを特徴とする請求項１に記載のシステム（１２）。
【請求項４】
前記ポスト（４８、５０）は、ベース（５０ａ）と、キャップ（５０ｂ）と、前記ベース（５０ａ）及び前記キャップ（５０ｂ）間に位置する中間部（５０ｃ）とを有すると共に、前記ラッチ（１３）の少なくとも一部と係合するように構成されていることを特徴とする請求項１に記載のシステム（１２）。
【請求項５】
前記ポスト（４８、５０）の前記ベース（５０ａ）は、べゼル（２８）を前記表示部材（１６）に固定するように前記表示部材（１６）のハウジング（２０）に結合可能であることを特徴とする請求項４に記載のシステム（１２）。
【請求項６】
前記ラッチ（１３）は、前記表示部材（１６）を前記基部部材（１８）から離れるように付勢することを特徴とする請求項１に記載のシステム（１２）。
【請求項７】
基部部材（１８）に対する可変な位置付けが可能であるように前記基部部材（１８）に結合される表示部材（１６）と、
前記表示部材（１６）にベゼル（２８）を固定するように構成されている少なくとも１つのポスト（４８、５０）であって、前記表示部材（１６）を前記基部部材（１８）に対する固定位置に固定するように前記基部部材（１８）によって係合可能である、少なくとも１つのポスト（４８、５０）とを備えることを特徴とする電子装置のロッキングシステム（１２）。
【請求項８】
前記少なくとも１つのポスト（４８、５０）は、ベース（５０ａ）と、キャップ（５０ｂ）と、前記ベース（５０ａ）及び前記キャップ（５０ｂ）間に位置する中間部（５０ｃ）とを有すると共に、前記基部部材（１８）によって係合されるように構成されていることを特徴とする請求項７に記載のシステム（１２）。
【請求項９】
前記少なくとも１つのポスト（４８、５０）は、Ｉ字形状のポストを含むことを特徴とする請求項８に記載のシステム（１２）。
【請求項１０】
前記少なくとも１つのポスト（４８、５０）は、前記基部部材（１８）に形成されている開口（５２、５４）に挿入可能であることを特徴とする請求項７に記載のシステム（１２）。
【発明の詳細な説明】
【背景技術】
【０００１】
ラップトップコンピュータ又はノートブックコンピュータ等の電子装置は一般的に、ロッキング機構と係合して回転可能な表示部材を（例えば、閉位置又はタブレット位置において）基部部材に固定するように動作可能であるフック型ラッチ設計を備える。
【発明の概要】
【０００２】
このようなラッチ設計は、例えば衣類又は装身具等の他の物体にひっかかり易く且つ／又は他の方法で絡まり易いことで、ラッチ及び／又は電子装置が損傷を受ける可能性を高める。さらに、このようなフック型ラッチ設計は、電子装置内で過剰なスペースをとる。
【図面の簡単な説明】
【０００３】
【図１Ａ】ロッキングシステムの実施形態がその利点を生かすように採用されている、電子装置の斜視図である。
【図１Ｂ】図１Ａの線１Ｂ−１Ｂに沿う、図１Ａの電子装置の一部の断面図である。
【図２】図１Ａ及び図１Ｂのロッキングシステムの一部の詳細図である。
【図３Ａ】伸張位置にある、図１Ａ、図１Ｂ及び図２のロッキングシステムの一部を示す図である。
【図３Ｂ】部分的に後退した位置にある、図３Ａのロッキングシステムを示す図である
【図３Ｃ】完全に後退した位置にある、図３Ａのロッキングシステムを示す図である。
【発明を実施するための形態】
【０００４】
図１Ａ〜図３Ｃを参照することによって、種々の実施形態及びその利点が最もよく理解される。種々の図面の同様且つ対応する部分には、同様の参照符号を使用している。
【０００５】
図１Ａは、ロッキングシステム１２がその利点を生かすように採用されている、電子装置１０の実施形態の図である。図１Ａに示されている実施形態では、電子装置１０は、ラップトップコンピュータ又はノートブックコンピュータ１４である。しかし、電子装置１０は、任意のタイプの電子装置、限定しないが例えば、部分固定用のロッキングシステム１２を有する、コンバーチブルタブレットパーソナルコンピュータ、携帯情報端末、又は任意の他のタイプのポータブルコンピューティングデバイス又は非ポータブルコンピューティングデバイスでもよいことを理解されたい。図１Ａに示されている実施形態では、電子装置１０は、基部部材１８に回転可能に結合される表示部材１６を備える。表示部材１６は、基部部材１８に対する可変な位置付けが可能であるように、ヒンジ又は他の要素によって基部部材１８に結合されることができる。表示部材１６は、上壁２２と、下壁２４と、後壁２６と、前壁／べゼル２８と、一対の側壁３０及び３２とから形成されるハウジング２０によって支持される表示画面１９を備える。基部部材１８は、作業面３６を画定する上壁と、下壁３８と、前壁４０と、後壁４２と、一対の側壁４４及び４６から形成されるハウジング３４を備える。
【０００６】
図１Ａに示されている実施形態では、ロッキングシステム１２は、一対のピンすなわちポスト４８及び５０を備える。一対のピンすなわちポスト４８及び５０は、表示部材１６から外方に延びており、表示部材１６を基部部材１８に固定するように作業面３６上でそれぞれ対応する開口５２及び５４に挿入可能である（例えば、表示画面１９が作業面３６に隣接して配置される閉位置、又はタブレットパーソナルコンピュータとして使用するために表示画面１９は露出させたままにするタブレット位置等において、表示部材１６が基部部材１８の作業面３６に隣接するか又は他の方法で作業面３６を覆うように位置付けられる）。図１Ａに示されている実施形態では、開口５２及び５４は、それぞれキャップ５６ａ及び５６ｂによって隠されているか又は他の方法で密閉されている。いくつかの実施形態では、キャップ５６ａ及び５６ｂは、作業面３６と面一に（すなわち、面一に又は実質的に面一に）取り付けられ、開口５２及び５４をそれぞれ密閉し、破片又は他の望ましくない物質がハウジング３４内に入るのを防止する。しかし、開口５２及び５４はキャップ５６ａ及び５６ｂを用いずに構成してもよいことを理解されたい。図１Ａでは、キャップ５６ａ及び５６ｂは、ポスト４８及び５０がそれぞれ開口５２及び５４に挿入されることに応答して、後退及び／又は他の方法で取り外され、開口４２及び５４を覆わなくなる。
【０００７】
図１Ａでは、ポスト４８及び５０は、べゼル２８から外方に延びており、ポスト４８及び５０の長さに沿って面積が変わり得る、実質的に円形の断面を有する。しかし、ポスト４８及び５０は、別様（例えば、楕円形、正方形、三角形の断面）に構成されてもよく、対称及び／又は非対称の断面を有してもよいことを理解されたい。さらに、より多いか又は少ない数のポスト４８及び５０並びに対応する開口５２及び５４を、表示部材１６及び基部部材１８を閉位置に固定するために使用してもよいことを理解されたい。
【０００８】
図１Ｂは、図１Ａの線１Ｂ−１Ｂに沿う、電子装置１０の断面図である。図１Ｂに示されている実施形態では、ポスト５０が、ベース部５０ａと、キャップ５０ｂと、ベース部５０ａ及びキャップ５０ｂ間に位置する中間部５０ｃとを有する。図１Ｂに示されている実施形態では、中間部Ｄ３が、ポスト５０を特定の位置に解放可能に固定するように係合可能である環状凹部８０を形成するように、ベース５０ａ及びキャップ５０ｂはそれぞれ、中間部５０ｃの直径Ｄ３よりも大きい直径Ｄ１及びＤ２を有する。したがって、ポスト５０は実質的に「Ｉ」字形状に構成されている。しかし、キャップ５０ｂが、ベース部５０ａの直径Ｄ１及び中間部５０ｃの直径Ｄ３よりも大きい直径Ｄ２を有するように、ポスト５０は、別様に、例えば「Ｔ」字形状等に構成されていてもよいことを理解されたい。
【０００９】
図１Ｂに示されている実施形態によると、べゼル２８は、ポスト５０を介して表示部材１６のハウジング２０に固定されている。例えば、図１Ｂでは、ベース部５０ａは、べゼル２８と、表示部材１６のハウジング２０とを係合してべゼル２８を表示部材１６に固定するためにねじ山付き外面５１を有する。したがって、ポスト５０は、ロッキングシステム１２の一部をなす一方で、べゼル２８を表示デバイス１６に固定するようにも機能する。これによって、べゼル２８用の別個且つ専用のねじ／コネクタの必要がなくなる。ポスト５０を表示部材１６に取り付けるのに、限定しないが、ポスト５０を表示部材１６に摩擦によって取り付ける等の他の方法が利用可能であることを理解されたい。ポスト５０を、図１Ｂに関連して示し、説明しているが、ポスト４８も同様に構成されることを理解されたい。
【００１０】
図２は、図１Ａ及び図１Ｂの、基部部材１８に配置されるロッキングシステム１２の一部を示す図である。図２に示されている実施形態では、ロッキングシステム１２がラッチ１３を備え、ラッチ１３は、ラッチボタン６２の作動に応答して移動可能である一対のスライダアーム５８及び６０を備える。スライダアーム５８及び６０はそれぞれ、外方に延びている拡張部５９及び６１を備え、拡張部５９及び６１は、付勢機構６８及び７０とそれぞれ係合するように構成されている。図２に示されている実施形態では、付勢機構６８及び７０は、拡張部５９及び６１にそれぞれ力を印加し、スライダアーム５８及び６０を矢印６４及び６６の方向に内方に付勢する。スライダアーム５８及び６０はそれぞれ、ポスト４８を受け入れるように構成されているスロット７２と、ポスト５０を受け入れるように構成されているスロット７４とを有する。図２では、開口７２の縁７６及び開口７４の縁７８が環状凹部８０に挿入され、ポスト４８及び５０を開口７２及び７４内に固定して表示部材１６を基部部材１８に固定するように、スライダアーム５８及び６０は内方に付勢される。したがって、図２では、ロッキングシステム１２は、表示部材１６を基部部材１８に対するロック位置にしっかりと固定するロック位置で示されている。ラッチ１３は、ポスト４８及び５０と係合して表示部材１６を基部部材１８に固定するように他の方法で構成されてもよいことを理解されたい。例えば、ラッチ１３は、ポスト４８及び／又は５０の一方の側にあり、矢印８２及び８３によって示されている方向に前後移動することによって環状凹部８０に対して係合及び係脱してもよい。さらに、環状凹部８０は、別様に構成されてもよい（例えば、ポスト４８及び５０の周囲に部分的に延びるように構成される）ことを理解されたい。
【００１１】
動作時には、矢印８２の方向にボタン６２が押下されているか又は他の方法で作動されていることに応答して、ラッチ１３がロック解除位置に移動する。例えば、ボタン６２は、スライダアーム５８の傾斜面８４及びスライダアーム６０の傾斜面８６に力を印加し、矢印８８及び９０の方向にスライダアーム５８及び６０を移動させ、それによって、付勢機構６８及び７０が圧縮される。スライダアーム５８及び６０の移動は、ポスト４８及び５０が開口７２及び７４からそれぞれ取り外されることを促すように縁７６及び７８を凹部８０から外方に位置付け且つ／又は他の方法で移動させ、表示部材１６の基部部材１８からの解放を可能にする。図２に示されている実施形態では、ボタン６２が解放されると、付勢機構６２がボタン６２を矢印９３の方向に外方に付勢し、ボタン６２をその非作動位置に戻す。
【００１２】
図３Ａは、キャップ５６ｂが伸張位置で示されている（例えば、キャップ５６ｂが作業面３６と面一であるか又は実質的に面一であり、開口５４を密閉している）、図１Ａ及び図１Ｂのロッキングシステム１２の一部を示す図である。図３Ｂは、部分的に後退した位置にある（例えば、キャップ５６ｂがハウジング３４内に部分的に後退している）、図３Ａのロッキングシステム１２を示す図である。図３Ｃは、完全に後退した位置にある（例えば、キャップ５６ｂが、スライダアーム６０の、矢印６６及び９０の方向の移動を可能にするようにスライダアーム６０の下に位置している）、図３Ａのロッキングシステム１２を示す図である。図３Ａ〜図３Ｃにはスライダアーム６０しか示していないが、スライダアーム５８も同様に動作することを理解されたい。
【００１３】
図３Ａ〜図３Ｃに示されている実施形態では、キャップ５６ｂが、付勢機構９６によって矢印９４の方向に上方に付勢されている。図３Ａ〜図３Ｃでは、キャップ５６ｂは、スライダアーム６０の拡張部６１に位置する傾斜面１０２と摺動可能に係合可能であるアーム１００を有するキャップ支持部材９８上に配置される。図３Ａに示されている実施形態では、付勢機構９６が、キャップ支持部材９８に矢印９４の方向に力を印加することで、矢印９０の方向にアーム６０を押しやるようにアーム１００を傾斜面１０２に摺動可能に係合させ、それによって、付勢機構７０が圧縮される。スライダアーム６０が矢印９０の方向に押しやられることに応答して、溝７４がポスト５０と位置合せされ、ポスト５０の挿入が可能になる。
【００１４】
図３Ｂに示されている実施形態では、表示部材１６が基部部材１８に向かって矢印９５の方向に移されると、ポスト５０が、キャップ５６ｂに接触するか又は他の方法で力を印加し、キャップ５６ｂを、作用面３６の下の、ハウジング３４内の後退位置に押し入れる。キャップ５６ｂの後退に応答して、キャップ支持部材９８が付勢機構９６を圧縮し、アーム１００の、矢印９５の方向への移動／下降を可能にする。アーム１００の下降に応答して、付勢機構７０が、スライダアーム６０の拡張部６１に力を印加し、スライダアーム６０を矢印６６の方向に徐々に押しやる。したがって、アーム１００が下方へ移動すると、アーム１００の、傾斜面１０２に沿った係合及び／又は移動によって、付勢機構７０がスライダアーム６０を矢印６６の方向に押しやることを可能にする。
【００１５】
図３Ｃに示されている実施形態では、ポスト５０が開口５４に挿入されると、付勢機構７０がスライダアーム６０を押しやる。その結果、開口７４の縁７８がポスト５０の凹部８０に挿入され、表示部材１６を基部部材１８に固定し、表示部材１６の、矢印９４の方向の移動が防止される。表示部材１６が基部部材１８に固定されている間、付勢機構７０が、スライダアーム６０を矢印６６の方向に連続的に押しやり、縁７８を凹部８０内に連続的に位置付けることで、ラッチ１３によって表示部材１６が基部部材１８にしっかりと固定される。ラッチ１３のロックを解除して、基部部材１６からディスプレイ１８を解放するためには、ボタン６２（図２）を作動させて、スライダアーム６０を矢印９０の方向に移動させて、縁７８を凹部８０から外し、ハウジング３４からのポスト４８及び５０のそれぞれの取り外しを促す。
【００１６】
いくつかの実施形態によれば、ボタン６２の作動時に、ラッチ１３は、ユーザが開き易いように、表示部材１６を基部部材１８から所定距離だけ自動的に分離し且つ／又は持ち上げる。例えば、凹部８０内から縁７８を取り外すようにボタン６２が作動されると、付勢機構９６が蓄積している位置エネルギーによって、支持システム９８、したがって、ポスト５０が矢印９４の方向に強制的に移動させられ、これによって、ユーザが表示部材１６を容易に把持して開位置まで回転させることを可能にするように、表示部材１６が基部部材１８から所定距離だけ起き上がる／持ち上がる。さらに、表示部材１６を基部部材１８に固定するように表示部材１６を基部部材１８へ移すとき、ラッチ１３が、表示部材１６と基部部材１８とが突然接触する可能性を、表示部材１６の移動を減速させることによって回避し且つ／又は実質的に減らす。例えば、付勢機構９６は、ポスト５０がキャップ５６ｂに接触すると付勢機構９６が圧縮されて位置エネルギーを蓄積するように、支持システム９８に付勢力を印加し、それによって、表示部材１６の基部部材１８に向かう移動が制限され、表示部材１６と基部部材１８とが突然接触する可能性が実質的に減るか又はなくなる。
【００１７】
したがって、実施形態は、電子装置１０を閉位置にしっかりと固定することを可能にするように表示部材１６から外方に延びるポスト４８及び５０を備えるラッチ１２を提供する。ポスト４８及び５０は、衣類又は装身具等の他の物体がポスト４８及び５０にひっかかる可能性を減らす且つ／又はなくすように表示部材１６から外方に延びるように構成されている。さらに、ポスト４８及び５０は、べゼル２８が付加的な且つ／又は専用の取付機構を必要とせずに表示デバイス１６に固定されることができるように表示部材１６に結合可能である。
【図１Ａ】
2010524122.tif 000003
【図１Ｂ】
2010524122.tif 000004
【図２】
2010524122.tif 000005
【図３Ａ】
2010524122.tif 000006
【図３Ｂ】
2010524122.tif 000007
【図３Ｃ】
2010524122.tif 000008
【国際調査報告】
2010524122.tif 000009
2010524122.tif 000010